(57)【特許請求の範囲】
【請求項１】
画像や文字情報を書籍の形態で表示する書籍型情報表示装置であって、
ページ情報を蓄積するページ情報蓄積手段と、
文字の大きさを変更したり、情報を保存したり、別の情報を読み込んだりなど、表示している情報に対する様々な制御を行うための制御情報を蓄積する制御情報蓄積手段と、
前記ページ情報と前記制御情報の項目を配置するレイアウト手段と、
前記配置に従って前記ページ情報と前記制御情報を表示する表示手段と、
入力に対応して前記制御情報の機能を実行する制御手段と、
を有し、
前記表示手段における、表示画面の中に、
前記書籍を開いたときには隠れるが、表紙を見せるように前記書籍を閉じたときに現れる背景領域１と、
前記書籍を開いたときには隠れるが、裏表紙を見せるように前記書籍を閉じたときに現れる背景領域２と、
この両領域の外側に、
常にユーザが操作可能な、
ページを前後にめくるための制御項目であるボタンＦなどを表示する領域３とを形成する
書籍型情報表示装置において、
前記背景領域１，２に、
書籍を閉じて表紙が表示されているときの状態と、
書籍を閉じて裏表紙が表示されているときの状態と
の各々で適切な操作手段のみを表示するように、
前記背景領域１に、
第１グループの制御情報に属する、装置への情報の入出力に関する設定項目などを表示し、
前記背景領域２に、
第２グループの制御情報に属する、レイアウトや装飾に関する設定項目などを表示することにより、書籍の開閉に伴って、ユーザの制御操作の許可／禁止を切り替えることができるようにしたことを特徴とする書籍型情報表示装置。
【請求項２】
画像や文字情報を書籍の形態で表示する書籍型情報表示方法であって、
表示手段における、表示画面の中に、
前記書籍を開いたときには隠れるが、表紙を見せるように前記書籍を閉じたときに現れる背景領域１と、
前記書籍を開いたときには隠れるが、裏表紙を見せるように前記書籍を閉じたときに現れる背景領域２と、
この両領域の外側に、
常にユーザが操作可能な、
ページを前後にめくるための制御項目であるボタンＦなどを配置する領域３とを形成する
書籍型情報表示方法において、
前記背景領域１，２に、書籍を閉じて表紙が表示されているときの状態と、
書籍を閉じて裏表紙が表示されているときの状態との
各々で適切な操作手段のみを配置する段階を有するように、
前記背景領域１に、
第１グループの制御情報に属する、装置への情報の入出力に関する設定項目などを配置する段階と、
前記背景領域２に、
第２グループの制御情報に属する、レイアウトや装飾に関する設定項目などを配置する段階と
を有することにより、書籍の開閉に伴って、ユーザの制御操作の許可／禁止を切り替えることができるようにしたことを特徴とする書籍型情報表示方法。
【請求項３】
画像や文字情報を書籍の形態で表示する書籍型情報表示装置の制御に用いるプログラムを格納した記録媒体であって、
表示手段における、表示画面の中に、
前記書籍を開いたときには隠れるが、表紙を見せるように前記書籍を閉じたときに現れる背景領域１と、
前記書籍を開いたときには隠れるが、裏表紙を見せるように前記書籍を閉じたときに現れる背景領域２と、
この両領域の外側に、
常にユーザが操作可能な、
ページを前後にめくるための制御項目であるボタンＦなどを配置する領域３とを形成するプログラムを記録した記録媒体において、
前記背景領域１，２に、書籍を閉じて表紙が表示されているときの状態と、
書籍を閉じて裏表紙が表示されているときの状態と
の各々で適切な操作手段のみを配置する段階を有するように、
前記背景領域１に、
第１グループの制御情報に属する、装置への情報の入出力に関する設定項目などを配置する段階と、
前記背景領域２に、
第２グループの制御情報に属する、レイアウトや装飾に関する設定項目などを配置する段階と
を有するプログラムを記録したことを特徴とする、コンピュータが読み取り可能な記録媒体。
【発明の詳細な説明】
【０００１】
【発明の属する技術分野】
本発明は、画像や文字情報を書籍の形態で表示する書籍型情報表示装置および書籍型情報表示方法およびコンピュータが読み取り可能なプログラムを記録した記録媒体に関するものである。
【０００２】
【従来の技術】
画像や文字情報を誰にでも使いやすい形態で表示するために、図８のように、書籍Ａの形態を模して、これらの情報をプラウン管や液晶デイスプレイなどの表示手段Ｂに表示する書籍型情報表示装置がある（例えば、特開平５−２５７９９１号「情報検索処理方式」など参照）。
【０００３】
このような書籍型情報表示装置において、文字の大きさを変更したり、情報を保存したり、別の情報を読み込んだりなど、表示している情報に対して様々な制御を行なうために制御情報を表示することがある。このような制御情報として、ボタンや、入力欄、スイッチ、メニューなどがある。
【０００４】
従来技術では、メニューを表示したり、ダイアログボックス上にボタンを配置することによって制御情報を示していた。例えば、図９のように、メニューＣは、表示手段の上部や下部に表示され、マウスやタッチパネルなどのポインティングデバイスから入力することによって、制御のためのメニュー項目を選択していた。あるいは、図１０のようなダイアログボックスＤを表示し、項目を選択するというものがあった。
【０００５】
【発明が解決しようとする課題】
ところで、単にメニューやボタンを羅列しておくと、ユーザに不適切に操作されるおそれがあった。また、ダイアログボックスＤは、必要に応じて表示されるので、不必要なときには表示の妨げにはならないが、ユーザがそのダイアログボックスＤを表示する方法を知らなければ操作できないという問題があった。また、メニューＣは、基本的に表示手段に常時表示しておく必要があり、表示の邪魔になったり、表示のデザインと整合しないことがあった。
【０００６】
本発明の目的は、ユーザにとってわかりやすい操作手段を提供し、ユーザ操作に自然な制約を課すことができる書籍型情報表示装置および書籍型情報表示方法およびコンピュータが読み取り可能なプログラムを記録した記憶媒体を提供することである。
【０００７】
【課題を解決するための手段】
本発明の書籍型情報表示装置は、ページ情報を蓄積するページ情報蓄積手段と、画像や文字などの入出力や、表示などの操作、装置／プログラムの操作を行わせる情報である制御情報を蓄積する制御情報蓄積手段と、前記ページ情報と前記制御情報の項目を配置するレイアウト手段と、前記配置に従って前記ページ情報と前記制御情報を表示する表示手段と、入力に対応した次の処理動作を実行する制御手段とを有し、前記表示手段における、表示画面の中に、前記書籍を開いたときには隠れるが、表紙を見せるように前記書籍を閉じたときに現れる背景領域１と、前記書籍を開いたときには隠れるが、裏表紙を見せるように前記書籍を閉じたときに現れる背景領域２と、この両領域の外側に、常にユーザが操作可能な、ページを前後にめくるための制御項目であるボタンＦなどを表示する領域３とを形成する書籍型情報表示装置において、前記背景領域１，２に、書籍を閉じて表紙が表示されているときの状態と、書籍を閉じて裏表紙が表示されているときの状態との各々で適切な操作手段のみを表示するように、前記背景領域１に、第１グループの制御情報に属する、装置への情報の入出力に関する設定項目などを表示し、前記背景領域２に、第２グループの制御情報に属する、レイアウトや装飾に関する設定項目などを表示するものである。
【００１０】
本発明の書籍型情報表示方法は、表示手段における、表示画面の中に、前記書籍を開いたときには隠れるが、表紙を見せるように前記書籍を閉じたときに現れる背景領域１と、前記書籍を開いたときには隠れるが、裏表紙を見せるように前記書籍を閉じたときに現れる背景領域２と、この両領域の外側に、常にユーザが操作可能な、ページを前後にめくるための制御項目であるボタンＦなどを配置する領域３とを形成する書籍型情報表示方法において、前記背景領域１，２に、書籍を閉じて表紙が表示されているときの状態と、書籍を閉じて裏表紙が表示されているときの状態との各々で適切な操作手段のみを配置する段階を有するように、前記背景領域１に、第１グループの制御情報に属する、装置への情報の入出力に関する設定項目などを配置する段階と、前記背景領域２に、第２グループの制御情報に属する、レイアウトや装飾に関する設定項目などを配置する段階とを有するものである。
【００１１】
本発明のコンピュータが読み取り可能なプログラムを記録した記録媒体は、表示手段における、表示画面の中に、前記書籍を開いたときには隠れるが、表紙を見せるように前記書籍を閉じたときに現れる背景領域１と、前記書籍を開いたときには隠れるが、裏表紙を見せるように前記書籍を閉じたときに現れる背景領域２と、この両領域の外側に、常にユーザが操作可能な、ページを前後にめくるための制御項目であるボタンＦなどを配置する領域３とを形成するプログラムを記録した記録媒体において、前記背景領域１，２に、書籍を閉じて表紙が表示されているときの状態と、書籍を閉じて裏表紙が表示されているときの状態との各々で適切な操作手段のみを配置する段階を有するように、前記背景領域１に、第１グループの制御情報に属する、装置への情報の入出力に関する設定項目などを配置する段階と、前記背景領域２に、第２グループの制御情報に属する、レイアウトや装飾に関する設定項目などを配置する段階とを有するプログラムを記録したものである。
【００１２】
【発明の実施の形態】
本発明は、図１のように、書籍Ａを閉じたとき表示手段Ｂに現れる背景領域１に制御情報Ｅを表示または入力することを特徴とする。この背景領域１は、図２のように、書籍を開いたときには隠れ、ユーザは操作できなくなるので、書籍Ａを開いた時には禁止したい制御項目をこの領域に配置するのに適している。一方、ボタンＦは背景領域１の外にあるので、書籍を開いたときに隠されない。そこで、常にユーザが操作可能な、例えばページを前後にめくるための制御項目を配置するのが好適である。このように、書籍Ａを閉じるか開くかによって、ユーザ操作に自然な制約を課し、ユーザの制御操作の許可または禁止の状態を切替えることができる。
【００１３】
また、書籍Ａを閉じたときに現れる背景領域には、表紙を見せるように書籍Ａを閉じたときに現れる背景領域と、裏表紙を見せるように書籍Ａを閉じたときに現れる背景領域との２種類がある。
【００１４】
そこで、本発明は、表紙を見せるように書籍Ａを閉じたときに現れる背景領域に第１のグループの制御情報を表示または入力し、裏表紙を見せるように書籍Ａを開じたときに現れる背景領域に第２のグループの制御情報を表示または入力することを特徴とするものも含まれ、これにより２種類のグループの制御情報を配置することができる。
【００１５】
〔実施例１〕
英語の書籍のように右開きの書籍では、表紙を見せるように書籍を開じたときに現れる背景領域は、図１の背景領域１になり、裏表紙を見せるように書籍を聞じたときに現れる背景領域は、図３の背景領域２になる。
【００１６】
背景領域１は、初期表示状態において現れ、ユーザが必ず目にするという性質がある。
【００１７】
そこで、第１の実施例は、装置への情報の入出力に関する設定項目を背景領域１に配置する。
【００１８】
図１では、情報の読み出し（Ｏｐｅｎ）、保存（Ｓａｖｅ）や、印刷（Ｐｒｉｎｔ）、装置の停止（Ｑｕｉｔ）などのボタンＥを表示する。
【００１９】
〔実施例２〕
次に、書籍Ａ中の全ページに影響するレイアウトや装飾に関する設定項目は、特定のページを開いた状態よりも、書籍を閉じた状態で設定する方が適切である。そこで、第２の実施例は、レイアウトや装飾に関する設定項目をグループにして、背景領域に表示する。図３の例では、フォントの大きさを大（Ｌａｒｇｅ）、中（Ｎｏｒｍａｌ）、小（Ｓｍａｌｌ）から選ぶためのボタンを背景領域２に配置している。これ以外に、レイアウトや装飾に関する設定項目には、フォントの種類や、文字の色、行間隔、上下左右のマージン、紙の色、背景の色や模様などがあり、これらの設定項目を配置してもよい。また、これらの設定項目を選択することによって、さらにダイアログボックスやメニューを表示し、詳細を設定できるようにしてもよい。
【００２０】
〔実施例３〕
次に、背景領域２は、裏表紙の次に現れるという性質がある。そこで、第３の実施例では、図４に示すように、新たなページを追加するボタン（Ａｄｄ  Ｐａｇｅ）を配置し、これを押すことによって、新たなページを追加できるようにする。この実施例は、ノートなど、記入できる書籍Ａを表示する場合に適切である。
【００２１】
〔実施例４〕
次に、背景領域１は、書籍Ａを読み始める前に現れ、背景領域２は、すべてのページを読み終えて書籍Ａを閉じたときに現れるという性質がある。そこで、第４の実施例では、複数の巻からなる書籍Ａを連続して読むのを支援するために、背景領域１に前巻を読み込むボタンを、背景領域２に次巻を読み込むボタンを配置するのが適切である。図５では、背景領域２に次巻を読み込むボタン（Ｎｅｘｔ）を配置している。また、装置の停止ボタン（Ｑｕｉｔ）を背景領域２に表示することは、書籍を読み終った後に操作できるので、適切である。
【００２２】
以上の実施例では、洋書などの右開きの書籍を仮定したが、和書などの左開きの書籍では、背景領域１と背景領域２を入れ換えてもよい。
【００２３】
また、背景領域には、文章の著作権情報や、出版社，出版日，著作情報，その他の書誌情報などを表示してもよい。
【００２４】
〔実施例５〕
本発明の書籍情報表示装置の構成を示すプロック図を図６に示す。図６において、６０１はレイアウト手段、６０２はページ情報蓄積手段、６０３は制御情報蓄積手段、６０４は表示手段、６０５は制御手段である。ページ情報蓄積手段６０２に蓄積されたページ情報と、制御情報蓄積手段６０３に蓄積されたボタン情報は、レイアウト手段６０１により表示手段６０４上での配置が決定される。このとき、図７に示すステップ（１）〜（４）の手順に従って配置する。すなわち、表紙が表示されているなら（１）、背景領域１にボタンを配置する（２）、また、裏表紙が表示されているなら（３）、背景領域２にボタンを配置する（４）、なお、この手順には、書籍が表示されていない場合に、背景領域１と２の両方にボタンを配置することも含まれているが、書籍を必ず表示し表裏の表紙のどちらかが必ず表示される場合には、ステップ（２）の後で終了するようにしてもよい。
【００２５】
表示手段６０４は、レイアウトに従って、ページ情報と制御（ボタン）情報を表示する。
【００２６】
マウスやタッチパネルなどの入力手段から座標値等が表示手段６０４に入力されると、制御手段６０５はレイアウト手段６０１の配置情報を用いて、押されたボタンを判定し、ボタンに対応した次の処理動作を行う、例えば図１のＯｐｅｎボタンを指定されたと判定した場合、書籍Ａの１ページ目を開く処理動作を行う。また、表示するページを変更する場合には、同様にマウスやタッチパネルなどから表示されているボタンを指定してレイアウト手段６０１を動作させて新しいページを表示する。
【００２７】
また、本発明は、表示手段と入力手段を備えたコンピュータによって実施してもよく、上記各段階をコンピュータに処理させるためのプログラムを、磁気媒体やＣＤ―ＲＯＭなどコンピュータ読み取り可能な記憶媒体に格納して配布することもできる。
【００２８】
【発明の効果】
本発明の書籍型情報表示装置によれば、ページ情報と制御情報をレイアウトして表示することができる。また、書籍の開閉に伴って、自然な形でユーザの制御操作の許可／禁止を切替えることができる。
【００２９】
また、本発明の書籍型情報表示方法によれば、２種類のグループの制御項目を配置することができる。
本発明では、書籍を開いたときには隠れるが、表紙を見せるように書籍を閉じたときに現れる背景領域１に、第１グループの制御情報に属する、装置への情報の入出力に関する設定項目などを表示（配置）する一方で、書籍を開いたときには隠れるが、裏表紙を見せるように前記書籍を閉じたときには現れる背景領域２に、第２グループの制御情報に属する、レイアウトや装飾に関する設定項目などを表示（配置）することにより、書籍を閉じて表紙が表示されている状態と、書籍を閉じて裏表紙が表示されている状態との各々で適切な操作手段のみを表示（配置）することができる。
【００３０】
また、本発明のコンピュータが読み取り可能なプログラムを記録した記録媒体によれば、コンピュータの制御によって前記書籍型情報表示方法を容易に実現することができる。
【図面の簡単な説明】
【図１】本発明の第１の実施例を示す図である。
【図２】本発明における書籍を開いてボタンを隠した状態を示す図である。
【図３】本発明の第２の実施例を示す図である。
【図４】本発明の第３の実施例を示す図である。
【図５】本発明の第４の実施例を示す図である。
【図６】本発明にかかる書籍型情報表示装置の実施例の構成を示すブロック図である。
【図７】本発明にかかる書籍型情報表示方法の実施例を示すフローチャートである。
【図８】従来の書籍型情報表示装置の表示例である。
【図９】従来のメニューの表示例である。
【図１０】従来のダイアログボックスの表示例である。
【符号の説明】
Ａ  書籍
Ｂ  表示手段
Ｃ  メニュー
Ｄ  ダイアログボックス
Ｅ  制御情報（書籍によって隠される）
Ｆ  制御情報（書籍によって隠されない）
６０１  レイアウト手段
６０２  ページ情報蓄積手段
６０３  制御情報蓄積手段
６０４  表示手段
６０５  制御手段
【図１】
0003565249.tif 000002
【図２】
0003565249.tif 000003
【図３】
0003565249.tif 000004
【図４】
0003565249.tif 000005
【図５】
0003565249.tif 000006
【図６】
0003565249.tif 000007
【図７】
0003565249.tif 000008
【図８】
0003565249.tif 000009
【図９】
0003565249.tif 000010
【図１０】
0003565249.tif 000011